(57)【要約】【課題】項目名の一部が一致しており、他の部分は一致していない場合であっても、２つ以上の品質機能展開表を統合するようにした情報処理装置を提供する。【解決手段】情報処理装置の第１の受付手段は、第１の品質機能展開表を受け付け、第２の受付手段は、該第１の品質機能展開表とは異なる品質機能展開表である第２の品質機能展開表を受け付け、統合手段は、前記第１の品質機能展開表と前記第２の品質機能展開表の名称が一致している軸において、該軸に属している項目内の最上位の階層の項目名称の一部が一致しており、他の部分は一致していない場合に、該一致している部分を最上位の階層の項目名称とし、一致していない部分を最上位から次の階層の項目名称とした第３の品質機能展開表として、該第１の品質機能展開表と該第２の品質機能展開表を統合する。【選択図】図１
2014112340.tif 000002
【特許請求の範囲】
【請求項１】
少なくとも３本以上の軸を有しており、該軸には階層構造を有している項目が付与されており、該各軸には軸の名称が付与されており、該各項目には項目の名称が付与されている品質機能展開表である第１の品質機能展開表を受け付ける第１の受付手段と、
該第１の品質機能展開表とは異なる品質機能展開表である第２の品質機能展開表を受け付ける第２の受付手段と、
前記第１の品質機能展開表と前記第２の品質機能展開表の名称が一致している軸において、該軸に属している項目内の最上位の階層の項目名称の一部が一致しており、他の部分は一致していない場合に、該一致している部分を最上位の階層の項目名称とし、一致していない部分を最上位から次の階層の項目名称とした第３の品質機能展開表として、該第１の品質機能展開表と該第２の品質機能展開表を統合する統合手段
を具備することを特徴とする情報処理装置。
【請求項２】
少なくとも３本以上の軸を有しており、該軸には階層構造を有している項目が付与されており、該各軸には軸の名称が付与されており、該各項目には項目の名称が付与されている品質機能展開表である第１の品質機能展開表を受け付ける第１の受付手段と、
該第１の品質機能展開表とは異なる品質機能展開表である第２の品質機能展開表を受け付ける第２の受付手段と、
前記第１の品質機能展開表と前記第２の品質機能展開表の名称が一致している軸において、該軸に属している項目内の最上位から順に抽出した階層の項目名称が一致しており、それ以降の階層の項目名称は一致していない場合に、該一致している部分を該一致している階層の共通の項目名称とし、該一致していない階層の項目名称を並列に並べた第３の品質機能展開表として、該第１の品質機能展開表と該第２の品質機能展開表を統合する統合手段
を具備することを特徴とする情報処理装置。
【請求項３】
前記統合手段は、前記第１の品質機能展開表と前記第２の品質機能展開表の名称が一致している軸において、該軸に属している項目内の階層構造を含めて項目名称が一致している場合は、２つの項目を１つに統合した第３の品質機能展開表とする
ことを特徴とする請求項１又は請求項２に記載の情報処理装置。
【請求項４】
前記統合手段は、前記第１の品質機能展開表と前記第２の品質機能展開表の名称が一致している軸において、該軸に属している項目内の最上位の階層が一致しており、最上位の階層以外の階層の項目名称が一致していない場合は、２つの項目を並列に並べた第３の品質機能展開表とする
ことを特徴とする請求項１から３のいずれか一項に記載の情報処理装置。
【請求項５】
前記統合手段は、前記第１の品質機能展開表と前記第２の品質機能展開表の名称が一致している軸において、該軸に属している項目内の最上位の階層の項目名称が異なると判断した場合は、該第１の品質機能展開表と該第２の品質機能展開表は統合できない旨を表示する
ことを特徴とする請求項１から４のいずれか一項に記載の情報処理装置。
【請求項６】
前記品質機能展開表は、隣り合う２本の軸の間に項目間の因果関係を記入可能な配列が配置されており、
前記統合手段は、前記２本の軸の項目が統合されており、該２本の軸間の配列を構成している要素内の因果関係を示す値が食い違う場合は、統合処理を行わないこと、統合できない旨を表示すること、又は、いずれか一方の品質機能展開表内の対応する要素内の因果関係を示す値を設定すること、のうちいずれかとする
ことを特徴とする請求項１から５のいずれか一項に記載の情報処理装置。
【請求項７】
コンピュータを、
少なくとも３本以上の軸を有しており、該軸には階層構造を有している項目が付与されており、該各軸には軸の名称が付与されており、該各項目には項目の名称が付与されている品質機能展開表である第１の品質機能展開表を受け付ける第１の受付手段と、
該第１の品質機能展開表とは異なる品質機能展開表である第２の品質機能展開表を受け付ける第２の受付手段と、
前記第１の品質機能展開表と前記第２の品質機能展開表の名称が一致している軸において、該軸に属している項目内の最上位の階層の項目名称の一部が一致しており、他の部分は一致していない場合に、該一致している部分を最上位の階層の項目名称とし、一致していない部分を最上位から次の階層の項目名称とした第３の品質機能展開表として、該第１の品質機能展開表と該第２の品質機能展開表を統合する統合手段
として機能させるための情報処理プログラム。
【請求項８】
コンピュータを、
少なくとも３本以上の軸を有しており、該軸には階層構造を有している項目が付与されており、該各軸には軸の名称が付与されており、該各項目には項目の名称が付与されている品質機能展開表である第１の品質機能展開表を受け付ける第１の受付手段と、
該第１の品質機能展開表とは異なる品質機能展開表である第２の品質機能展開表を受け付ける第２の受付手段と、
前記第１の品質機能展開表と前記第２の品質機能展開表の名称が一致している軸において、該軸に属している項目内の最上位から順に抽出した階層の項目名称が一致しており、それ以降の階層の項目名称は一致していない場合に、該一致している部分を該一致している階層の共通の項目名称とし、該一致していない階層の項目名称を並列に並べた第３の品質機能展開表として、該第１の品質機能展開表と該第２の品質機能展開表を統合する統合手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、顧客からの要求品質に関係する重要な全ての品質特性や機能を、抜けや誤りを生じすることなく、効率よく容易に確認できるように展開するのを支援できるようにすることを課題とし、製品名検索処理では、品質機能展開作業時において参考にする製品の製品名を品質機能展開データから検索し、機能・品質特性抽出処理では、製品名検索処理にて検索された製品名をもとに機能・品質特性の項目を品質機能展開データから検索し、確認項目抽出処理では、機能・品質特性抽出処理にて検索された製品名・機能・品質特性をもとに確認項目を品質機能展開データから抽出し、試験項目抽出処理では、確認項目抽出処理にて抽出された確認項目に関連付けられた試験項目を品質機能展開データから抽出することが開示されている。
【０００３】
特許文献２には、ＱＦＤ作業時において、ユーザが、顧客要求に関係する重要な全ての品質特性を、誤りや抜けを生じることなく、効率よく容易に抽出できるように支援する方法及びプログラムを提供することを課題とし、過去に作成されたＱＦＤデータを読込み、読込んだＱＦＤデータの要求品質と品質特性の対応関係に基づき、関係付けられている品質特性と要求品質との組み合わせを抽出して品質特性データを作成し、データベースに登録し、ユーザの指示に応じて、データベース中のデータを編集し、品質機能展開作業時に、ユーザの指示に応じて、少なくとも要求品質の一覧、キーワード、を含む複数種類の文字列の中から選択された文字列を検索キーとして用いてデータベースに登録されている品質特性を検索し、検索の結果として得られたデータを検索結果データとして出力することが開示されている。
【先行技術文献】
【特許文献】
【０００４】
【特許文献１】特開２００８−２８７７００号公報
【特許文献２】特開２００４−３６２４８０号公報
【発明の概要】
【発明が解決しようとする課題】
【０００５】
本発明は、項目名の一部が一致しており、他の部分は一致していない場合であっても、２つ以上の品質機能展開表を統合するようにした情報処理装置及び情報処理プログラムを提供することを目的としている。
【課題を解決するための手段】
【０００６】
かかる目的を達成するための本発明の要旨とするところは、次の各項の発明に存する。
請求項１の発明は、少なくとも３本以上の軸を有しており、該軸には階層構造を有している項目が付与されており、該各軸には軸の名称が付与されており、該各項目には項目の名称が付与されている品質機能展開表である第１の品質機能展開表を受け付ける第１の受付手段と、該第１の品質機能展開表とは異なる品質機能展開表である第２の品質機能展開表を受け付ける第２の受付手段と、前記第１の品質機能展開表と前記第２の品質機能展開表の名称が一致している軸において、該軸に属している項目内の最上位の階層の項目名称の一部が一致しており、他の部分は一致していない場合に、該一致している部分を最上位の階層の項目名称とし、一致していない部分を最上位から次の階層の項目名称とした第３の品質機能展開表として、該第１の品質機能展開表と該第２の品質機能展開表を統合する統合手段を具備することを特徴とする情報処理装置である。
【０００７】
請求項２の発明は、少なくとも３本以上の軸を有しており、該軸には階層構造を有している項目が付与されており、該各軸には軸の名称が付与されており、該各項目には項目の名称が付与されている品質機能展開表である第１の品質機能展開表を受け付ける第１の受付手段と、該第１の品質機能展開表とは異なる品質機能展開表である第２の品質機能展開表を受け付ける第２の受付手段と、前記第１の品質機能展開表と前記第２の品質機能展開表の名称が一致している軸において、該軸に属している項目内の最上位から順に抽出した階層の項目名称が一致しており、それ以降の階層の項目名称は一致していない場合に、該一致している部分を該一致している階層の共通の項目名称とし、該一致していない階層の項目名称を並列に並べた第３の品質機能展開表として、該第１の品質機能展開表と該第２の品質機能展開表を統合する統合手段を具備することを特徴とする情報処理装置である。
【０００８】
請求項３の発明は、前記統合手段は、前記第１の品質機能展開表と前記第２の品質機能展開表の名称が一致している軸において、該軸に属している項目内の階層構造を含めて項目名称が一致している場合は、２つの項目を１つに統合した第３の品質機能展開表とすることを特徴とする請求項１又は２に記載の情報処理装置である。
【０００９】
請求項４の発明は、前記統合手段は、前記第１の品質機能展開表と前記第２の品質機能展開表の名称が一致している軸において、該軸に属している項目内の最上位の階層が一致しており、最上位の階層以外の階層の項目名称が一致していない場合は、２つの項目を並列に並べた第３の品質機能展開表とすることを特徴とする請求項１から３のいずれか一項に記載の情報処理装置である。
【００１０】
請求項５の発明は、前記統合手段は、前記第１の品質機能展開表と前記第２の品質機能展開表の名称が一致している軸において、該軸に属している項目内の最上位の階層の項目名称が異なると判断した場合は、該第１の品質機能展開表と該第２の品質機能展開表は統合できない旨を表示することを特徴とする請求項１から４のいずれか一項に記載の情報処理装置である。
【００１１】
請求項６の発明は、前記品質機能展開表は、隣り合う２本の軸の間に項目間の因果関係を記入可能な配列が配置されており、前記統合手段は、前記２本の軸の項目が統合されており、該２本の軸間の配列を構成している要素内の因果関係を示す値が食い違う場合は、統合処理を行わないこと、統合できない旨を表示すること、又は、いずれか一方の品質機能展開表内の対応する要素内の因果関係を示す値を設定すること、のうちいずれかとすることを特徴とする請求項１から５のいずれか一項に記載の情報処理装置である。
【００１２】
請求項７の発明は、コンピュータを、少なくとも３本以上の軸を有しており、該軸には階層構造を有している項目が付与されており、該各軸には軸の名称が付与されており、該各項目には項目の名称が付与されている品質機能展開表である第１の品質機能展開表を受け付ける第１の受付手段と、該第１の品質機能展開表とは異なる品質機能展開表である第２の品質機能展開表を受け付ける第２の受付手段と、前記第１の品質機能展開表と前記第２の品質機能展開表の名称が一致している軸において、該軸に属している項目内の最上位の階層の項目名称の一部が一致しており、他の部分は一致していない場合に、該一致している部分を最上位の階層の項目名称とし、一致していない部分を最上位から次の階層の項目名称とした第３の品質機能展開表として、該第１の品質機能展開表と該第２の品質機能展開表を統合する統合手段として機能させるための情報処理プログラムである。
【００１３】
請求項８の発明は、コンピュータを、少なくとも３本以上の軸を有しており、該軸には階層構造を有している項目が付与されており、該各軸には軸の名称が付与されており、該各項目には項目の名称が付与されている品質機能展開表である第１の品質機能展開表を受け付ける第１の受付手段と、該第１の品質機能展開表とは異なる品質機能展開表である第２の品質機能展開表を受け付ける第２の受付手段と、前記第１の品質機能展開表と前記第２の品質機能展開表の名称が一致している軸において、該軸に属している項目内の最上位から順に抽出した階層の項目名称が一致しており、それ以降の階層の項目名称は一致していない場合に、該一致している部分を該一致している階層の共通の項目名称とし、該一致していない階層の項目名称を並列に並べた第３の品質機能展開表として、該第１の品質機能展開表と該第２の品質機能展開表を統合する統合手段として機能させるための情報処理プログラムである。
【発明の効果】
【００１４】
請求項１の情報処理装置によれば、項目名の一部が一致しており、他の部分は一致していない場合であっても、２つの品質機能展開表を統合することができる。
【００１５】
請求項２の情報処理装置によれば、一部の階層の項目名が一致しており、他の部分は一致していない場合であっても、２つの品質機能展開表を統合することができる。
【００１６】
請求項３の情報処理装置によれば、項目名称が一致している場合は、２つの項目を１つに統合することができる。
【００１７】
請求項４の情報処理装置によれば、最上位の階層以外の階層の項目名称が一致していない場合は、２つの項目を並列に並べた品質機能展開表を生成することができる。
【００１８】
請求項５の情報処理装置によれば、最上位の階層の項目名称が異なるにもかかわらず、２つの品質機能展開表を統合してしまうことを防止することができる。
【００１９】
請求項６の情報処理装置によれば、配列内の要素の値が異なる場合について対処することができる。
【００２０】
請求項７の情報処理プログラムによれば、項目名の一部が一致しており、他の部分は一致していない場合であっても、２つの品質機能展開表を統合することができる。
【００２１】
請求項８の情報処理プログラムによれば、一部の階層の項目名が一致しており、他の部分は一致していない場合であっても、２つの品質機能展開表を統合することができる。
【図面の簡単な説明】
【００２２】
【図１】第１の実施の形態の構成例についての概念的なモジュール構成図である。
【図２】第１の実施の形態を実現するためのシステム構成を示す説明図である。
【図３】第１の実施の形態による処理例を示すフローチャートである。
【図４】第１の実施の形態による処理例を示すフローチャートである。
【図５】第１の実施の形態による処理対象の品質機能展開表Ａの例である。
【図６】第１の実施の形態による処理対象の品質機能展開表Ｂの例である。
【図７】第１の実施の形態による処理結果（統合結果）の品質機能展開表Ｃの例である。
【図８】第１の実施の形態による処理例を示す説明図である。
【図９】第２の実施の形態の構成例についての概念的なモジュール構成図である。
【図１０】第２の実施の形態による処理例を示すフローチャートである。
【図１１】軸項目テーブルのデータ構造例を示す説明図である。
【図１２】軸の名称を表示、選択する処理例を示す説明図である。
【図１３】軸の項目を表示、選択する処理例を示す説明図である。
【図１４】軸の名称と項目を選択した結果の表示例を示す説明図である。
【図１５】部材品質機能展開表の表示例を示す説明図である。
【図１６】システム品質機能展開表の表示例を示す説明図である。
【図１７】第２の実施の形態による他の処理例を示すフローチャートである。
【図１８】本実施の形態を実現するコンピュータのハードウェア構成例を示すブロック図である。
【発明を実施するための形態】
【００２３】
まず、本実施の形態を説明する前に、その前提となる技術について説明する。なお、この説明は、本実施の形態の理解を容易にすることを目的とするものである。
技術・商品の構成が複雑になると、要因同士の因果関係が多くなり、さらに、それが互いに絡み合うために、関連性を把握することが困難になる。その結果、以下のようなことが発生する。
（１）要因間の因果関係を調べるのに時間がかかることとなる。ひいては、設計・開発の効率が落ちる。
（２）課題を見落とす可能性が高まり、その場合は、課題に気がついた時点で、プロセスの後戻り、足踏みが発生する。
（３）課題の見落としがあるままで製品を作ることで品質問題が発生する。
（４）想定外の問題が発生すると、現象の解析・分析のための技術構築に時間を要することとなる。ひいては、解決が遅れることとなる。
【００２４】
これらに対する施策として有効に機能するものが、ＱＦＤ（Ｑｕａｌｉｔｙ  Ｆｕｎｃｔｉｏｎ  Ｄｅｐｌｏｙｍｅｎｔ、品質機能展開）をベースとした要因分析と可視化の手法である。
ＱＦＤは、商品企画、商品開発など様々な段階において、顧客が要求する品質を商品作りに反映させるべく、目標、課題、アクションを明確にするための手法である。
典型的なＱＦＤでは、顧客の要求項目から抽出した『要求品質』項目と、技術的に考慮すべき事柄から抽出した『品質特性』項目の間の関係をマトリックスで表す。また、『要求品質』項目同士、『品質特性』項目同士の関係を三角帽子と呼ばれる形で表示することもある。『要求品質』項目に各々の重要度を加味することで『企画品質』（どのような特徴を持たせると顧客が満足するかを示す）項目を抽出することができる。また、『品質特性』を部品の設計値に対応させることで『設計品質』（製品の仕様）を抽出することができる。以上の検討結果によって目標、課題、アクションの関係を明確にすることができる。つまり、ＱＦＤ表は、複数の項目リストを互いに直交した軸上に配置し、隣り合った軸上の項目同士の因果関係をマトリックスで表示した表である。
【００２５】
ＱＦＤでは、『要求品質』、『品質特性』だけでなく、場面に応じて『部品展開』、『技術展開』、『業務展開』など様々な展開を行って、得られた項目間の因果関係を２元表で表すことが提案されている。さらに、この表を表示するコンピュータ・プログラムを作成し、各項目、マトリックスのセルにネットワーク上の情報に対するリンクを持たせることで、情報蓄積・共有のための枠組みとして活用することができる。
しかし、プリンタ、医療機器など、多数の部品・部材、複数の物理現象が相互に関連するような複雑な働きをする製品の開発では、取り扱うべき項目の数が膨大になり、加えて『要求品質』と『品質特性』、『部品展開』と『技術展開』のような単純な枠組みでは設計特性と品質の関係性を十分に記述することができない。また、現実に製品ができるまでのプロセスは、技術の開発、部材の開発、システムの開発、製造など多くの部門の連携によって成立している。よって、２元表を作成して、項目同士が「関係ありそう」、「関係なさそう」という記号を付与することができるが、「なぜそうなるのか」という現象のメカニズムを含めて設計特性と品質の関係性全体を一覧できない限りは、実際の設計・開発プロセスで活用することはできない。つまり、部品、部材の製造工程と製品の品質は、その間に様々な中間特性をもつ間接的な関係となっており、適切な中間特性と構成を持つ表でなければ製造工程と品質の関係を明確にできない。また、製品の設計条件と製品の品質も、間に様々な中間特性をもつ間接的な関係となっており、適切な中間特性と構成を持つ表でなければ、設計条件と品質の関係を明確にできない。
さらに、中間特性の定義があいまいになりがちで、表の統一性が取れないために活用が進まないということになる。
以上の問題は適切に定義された中間特性の軸を持つ因果関係の表を作成することができ、それらの中間特性の間の関係を一望できるような構成で関係性を表示することができ、さらに膨大な数になることが多い軸上の項目の入力とマトリックスの作成と表示を容易に行うことができるシステムを用意することで解決することができる。しかし、そのような表は３軸以上を有するものであり、特に項目の数が多くなった時には複雑かつ大規模になりすぎて、作成作業に支障をきたすことになる。そのような問題を解決するために、分割して作成した表を複数人数で分担して作成し、後に統合することで作業負荷を大幅に低減することができる。このときにそれぞれの表の軸を適切に統合できるかどうかが重要である。
【００２６】
以下、図面に基づき本発明を実現するにあたっての好適な各種の実施の形態の例を説明する。
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２７】
第１の実施の形態である情報処理装置１００は、図１の例に示すように、情報処理装置１００は、表Ａ受付モジュール１１０Ａ、表Ｂ受付モジュール１１０Ｂ、表統合モジュール１２０、因果関係確認モジュール１３０、因果関係不一致処理モジュール１４０、表示モジュール１５０を有している。
情報処理装置１００は、技術・商品の開発を効率化するとともに成果の品質を高めるための設計・開発支援に用いられるものである。より具体的には、複数人の担当者が分担して又は一人の担当者が複数に分割して作成した複数の品質機能展開表を統合して、品質機能展開表を作成するために用いられる。
【００２８】
表Ａ受付モジュール１１０Ａは、表統合モジュール１２０と接続されている。表Ａ受付モジュール１１０Ａは、品質機能展開表Ａを受け付ける。ここで、品質機能展開表とは、少なくとも３本以上の軸を有している。その軸には階層構造を有している項目が付与されている。また、その各軸には軸の名称が付与されており、その各項目には項目の名称が付与されている。さらに、隣り合う２本の軸の間に項目間の因果関係を記入可能な配列が配置されていてもよい。具体的には、図９以降を用いて後述する。品質機能展開表Ａは、統合対象である。例えば、図５に示す品質機能展開表Ａである。なお、図５、６、７に示す品質機能展開表における各軸（第１軸５１０等）は、図示していないが、小分類項目が付与されている。具体的には、図５に例示の第１軸５１０等は、大分類と小分類の２階層の項目が属しており、図７に例示の第２軸７２０等は、大分類と中分類と小分類の３階層の項目が属している。
表Ｂ受付モジュール１１０Ｂは、表統合モジュール１２０と接続されている。表Ｂ受付モジュール１１０Ｂは、品質機能展開表Ｂを受け付ける。もちろんのことながら、品質機能展開表Ｂは、品質機能展開表Ａとは異なるものである。同一のものでは統合する意味がないからである。例えば、図６に示す品質機能展開表Ｂである。
【００２９】
表統合モジュール１２０は、表Ａ受付モジュール１１０Ａ、表Ｂ受付モジュール１１０Ｂ、因果関係確認モジュール１３０、因果関係不一致処理モジュール１４０、表示モジュール１５０と接続されている。表統合モジュール１２０は、品質機能展開表Ａと品質機能展開表Ｂを統合して、品質機能展開表Ｃを作成する。具体的には、品質機能展開表Ａと品質機能展開表Ｂの名称が一致している軸において、その軸に属している項目内の最上位の階層の項目名称の一部が一致しており、他の部分は一致していない場合に、その一致している部分を最上位の階層の項目名称とし、一致していない部分を最上位から次の階層の項目名称とした品質機能展開表Ｃとする。
【００３０】
「品質機能展開表Ａと品質機能展開表Ｂの名称が一致している軸」とは、軸が一致していることを前提としている。軸名称が一致しない場合は、統合の対象としない旨をディスプレイ等の表示装置に表示するようにしてもよい。例えば、品質機能展開表Ａの軸名称が「性能」である場合は、品質機能展開表Ｂの軸名称が「性能」である軸を対象とする。図５と図６の例では、第２軸５２０と第２軸６２０である。
「その軸に属している項目内の最上位の階層の項目名称の一部が一致しており、他の部分は一致していない場合」について説明する。まず、軸名称が同じ軸に属している項目を対象とする。項目は、階層構造を有している。例えば、大分類、中分類、小分類等のようである。なお、１つの階層（例えば、大分類のみ）であっても、階層構造を有しているという。そして、各階層においては項目名称がある。その中で最上位の階層（前述の例では大分類）の項目名称を対象として、項目名称の一部が一致しており、他の部分は一致していないかを判断する。例えば、図５と図６に示す第１軸５１０と第２軸６２０に属している項目内の最上位の階層の項目名称は、それぞれ「保持部の性能」、「加熱部の性能」である。この場合、「性能」という一部（単語）が一致しており、他の部分（「保持部」、「加熱部」）は一致していないので、この処理の対象となる。なお、項目名称の一部が一致しているか否かの判断をするのに、その項目名称を形態素解析して、単語に分割して、その単語間で判断するようにしてもよい。また、項目名称を連続する文字種（ひらがな、カタカナ、漢字、英字、数字等）毎に分け、その分けた文字列間で判断するようにしてもよい。なお、「の」のような助詞は、比較対象としないようにしてもよい。
「一致している部分を最上位の階層の項目名称とし、一致していない部分を最上位から次の階層の項目名称とする」について説明する。前述の例では、一致している部分は、「性能」である。この「性能」を品質機能展開表Ｃにおける軸の最上位の階層の項目名称とする。そして、「保持部」、「加熱部」を品質機能展開表Ｃにおける軸の最上位から次の階層の項目名称とする。図７の例に示す品質機能展開表Ｃのように、第２軸７２０内の第２軸７２０の項目を大分類項目７２１（「性能」）と中分類項目７２２（「加熱部」）と中分類項目７２３（「保持部」）に分けている。
【００３１】
表統合モジュール１２０は、品質機能展開表Ａと品質機能展開表Ｂの名称が一致している軸において、その軸に属している項目内の階層構造を含めて項目名称が一致している場合は、２つの項目を１つに統合した品質機能展開表Ｃとする。つまり、軸内の項目が完全一致している場合の処理である。完全一致とは、階層の階数、各階層における項目数、それぞれの階層における項目の項目名称が一致していることをいう。また、「２つの項目」とは、一致しているか否かの比較の対象としている品質機能展開表Ａにおける項目と品質機能展開表Ｂにおける項目である。例えば、図５と図６に示す第１軸５１０と第１軸６１０が一致する例であり、統合結果は図７に示す第１軸７１０となる。
【００３２】
表統合モジュール１２０は、品質機能展開表Ａと品質機能展開表Ｂの名称が一致している軸において、その軸に属している項目内の最上位の階層が一致しており、最上位の階層以外の階層の項目名称が一致していない場合は、その一致していない２つの項目を並列に並べた品質機能展開表Ｃとする。例えば、大分類の項目名称が「性能」で一致しており、中分類が一致していない場合は、図７に例示の第２軸７２０のようになる。つまり、図５と図６の第２軸５２０と第２軸６２０の統合と同じ結果になる。
【００３３】
表統合モジュール１２０は、品質機能展開表Ａと品質機能展開表Ｂの名称が一致している軸において、その軸に属している項目内の最上位の階層の項目名称が異なると判断した場合は、品質機能展開表Ａと品質機能展開表Ｂは統合できない旨をディスプレイ等の表示装置に表示する。ここで「項目名称が異なる」とは、前述の一部一致も含まない場合である。
【００３４】
表統合モジュール１２０は、隣り合う２本の軸の項目が統合されている場合は、因果関係確認モジュール１３０、因果関係不一致処理モジュール１４０による処理を行わせる。「隣り合う２本の軸の項目が統合されている場合」とは、隣り合う２本の軸において、その２本の各軸内に属している項目が完全一致している場合である。つまり、品質機能展開表Ａ（又は品質機能展開表Ｂ）の軸内の項目がそのまま品質機能展開表Ｃにおける軸の項目になる場合である。なお、隣り合う２本の軸のうち片方だけの統合の場合（他方の軸は並列配置）は該当しない。
【００３５】
因果関係確認モジュール１３０は、表統合モジュール１２０、因果関係不一致処理モジュール１４０と接続されている。因果関係確認モジュール１３０は、隣り合う２本の軸間の配列（マトリックス）を構成している要素（セル）内の因果関係を示す値が食い違う（異なる、相違する）か否かを確認する。例えば、図５に示す第１軸第２軸関係マトリックス５１５内の各セル内の値と図６に示す第１軸第２軸関係マトリックス６１５内の各セル内の値が異なっている場合は、因果関係不一致処理モジュール１４０に処理を行わせる。異なっていない場合（一致している場合）は、その旨を示す情報を表統合モジュール１２０に渡す。表統合モジュール１２０は、品質機能展開表Ａ（又は品質機能展開表Ｂ）のマトリックス（セル内の因果関係を示す値を含む）をそのまま品質機能展開表Ｃにおけるマトリックスとする。つまり、品質機能展開表Ａ、品質機能展開表Ｂ、品質機能展開表Ｃにおいて、２本の軸（項目を含む）とその間にあるマトリックスは同じである。もちろんのことながら、比較するセルは、マトリックス内における位置（対応する項目によって特定される位置）が一致するセル同士である。
【００３６】
因果関係不一致処理モジュール１４０は、表統合モジュール１２０、因果関係確認モジュール１３０と接続されている。因果関係不一致処理モジュール１４０は、因果関係確認モジュール１３０によって、その２本の軸間のマトリックスを構成しているセル内の因果関係を示す値が異なっていると判断された場合は、いわゆるエラー処理を選択する。具体的には、統合処理を行わないこと、統合できない旨を表示すること、又は、いずれか一方の品質機能展開表内の対応する要素内の因果関係を示す値を設定すること、のうちいずれかとする。いずれを選択するかは、予め定められていてもよいし、操作者の操作によって選択してもよい。そして、その結果、表統合モジュール１２０は、統合処理を行わないこと、統合できない旨を表示すること、又は、いずれか一方の品質機能展開表内の対応する要素内の因果関係を示す値を設定すること、のうちいずれかを行う。
表示モジュール１５０は、表統合モジュール１２０と接続されている。表示モジュール１５０は、表統合モジュール１２０によって作成された品質機能展開表Ｃをディスプレイ等の表示装置に表示する。
【００３７】
図２は、第１の実施の形態（又は第２の実施の形態との組み合わせ）を実現するためのシステム構成を示す説明図である。特に、品質機能展開表の各項目とＤＢ装置２９０内の情報を関連付けして、その情報を共有するための構成である。
情報処理装置１００Ａ、１００Ｂ、１００Ｃ等、ＤＢ装置２９０は、通信回線２９９を介してそれぞれ接続されている。情報処理装置１００Ａ、１００Ｂ、１００Ｃ等は、図１の例に示す情報処理装置１００に該当する。ＤＢ装置２９０は、例えば、操作者Ａの操作によって情報処理装置１００Ａが作成した品質機能展開表Ａを記憶する。操作者Ｂの操作によって情報処理装置１００Ｂが作成した品質機能展開表Ｂを記憶する。そして、操作者Ｃの操作によって情報処理装置１００ＣがＤＢ装置２９０内にある品質機能展開表Ａと品質機能展開表Ｂを読み出し、統合して品質機能展開表Ｃを作成する。つまり、操作者Ａと操作者Ｂの操作によって、品質機能展開表Ｃの一部である品質機能展開表Ａと品質機能展開表Ｂをそれぞれ作成する。そして、操作者Ｃの操作によって、品質機能展開表Ａと品質機能展開表Ｂを合成して品質機能展開表Ｃを作成する。
【００３８】
図３は、第１の実施の形態による処理例を示すフローチャートである。
ステップＳ３０２では、表Ａ受付モジュール１１０Ａが、品質機能展開表Ａを受け付ける。例えば、品質機能展開表Ａとして図５に例示の品質機能展開表がある。
ステップＳ３０４では、表Ｂ受付モジュール１１０Ｂが、品質機能展開表Ｂを受け付ける。例えば、品質機能展開表Ｂとして図６に例示の品質機能展開表がある。
【００３９】
ステップＳ３０６では、表統合モジュール１２０が、項目の大分類名に同じ単語はあるか否かを判断し、ある場合はステップＳ３０８へ進み、それ以外の場合はステップＳ３１４に進む。図５、図６に例示の品質機能展開表における各軸の名称は、同じ単語（第１軸５１０と第１軸６１０では「片手鍋」と「品質」、第２軸５２０と第２軸６２０では「性能」、第３軸５３０と第３軸６３０では「構造・物性」、第４軸５４０と第４軸６４０では「工程・原材料」）があるので、ステップＳ３０８へ進むことになる。
ステップＳ３０８では、表統合モジュール１２０が、全て同じか否かを判断し、全て同じ場合はステップＳ３１０へ進み、それ以外の場合はステップＳ３１２へ進む。第１軸５１０と第１軸６１０では「片手鍋の品質」が同じであり、ステップＳ３１０へ進むことになり、他の軸（第２軸５２０と第２軸６２０、第３軸５３０と第３軸６３０、第４軸５４０と第４軸６４０）では異なる単語があるので、ステップＳ３１２へ進むことになる。
【００４０】
ステップＳ３１０では、表統合モジュール１２０が、小分類名が同じ項目は統合し、小分類名が異なる項目は並列配置する。階層を含めて完全一致する場合は、項目を統合する。ここで項目の統合とは、片方の品質機能展開表における軸内の項目をそのまま複写することである。大分類より下の階層において項目が異なる場合は、両方の項目を並列配置する。ここで項目の並列配置とは、両方の品質機能展開表における軸内の項目を、品質機能展開表Ｃの軸内の項目として複写することである。したがって、品質機能展開表Ｃにおけるその軸内の項目数は、品質機能展開表Ａにおける対応する軸内の項目数と品質機能展開表Ｂにおける対応する軸内の項目数とを加算した数となる。
【００４１】
ステップＳ３１２では、表統合モジュール１２０が、同じ単語は大分類の項目名とし、小分類の項目は並列配置する。図５、図６の例に示す第２軸５２０と第２軸６２０、第３軸５３０と第３軸６３０、第４軸５４０と第４軸６４０から、それぞれ図７の例に示す大分類項目７２１、中分類項目７２２、中分類項目７２３からなる第２軸７２０、大分類項目７３１、中分類項目７３２、中分類項目７３３からなる第３軸７３０、大分類項目７４１、中分類項目７４２、中分類項目７４３からなる第４軸７４０を生成する。
ステップＳ３１４では、表示モジュール１５０が、エラーの可能性がある旨を表示する。大分類が一部一致も含まない場合には、統合対象の品質機能展開表ではないことを警告する。
この図３の例に示すフローチャートによる処理の後、表示モジュール１５０によって品質機能展開表Ｃをディスプレイ等の表示装置に表示してもよい。ただし、ここでの品質機能展開表Ｃは、マトリックス内のセルに値が記入されていない表である。また、品質機能展開表Ａと品質機能展開表Ｂのマトリックス内のセルの値を利用して、品質機能展開表Ｃのマトリックス内のセルに値を設定する場合は、図４の例に示すフローチャートによる処理を行う。
【００４２】
図４は、第１の実施の形態による処理例を示すフローチャートである。このフローチャートによる処理は、図３の例に示すフローチャートの処理を行った後に行う。
ステップＳ４０２では、表統合モジュール１２０が、隣り合う軸の項目は統合されているか否かを判断し、隣り合う２本の軸に属している項目が統合されている場合はステップＳ４０４へ進み、それ以外の場合はステップＳ４１０へ進む。
ステップＳ４０４では、因果関係確認モジュール１３０が、セルの内容は一致するか否かを判断し、一致する場合はステップＳ４０６へ進み、それ以外の場合はステップＳ４０８へ進む。「セルの内容が一致する」とは、そのセルにおける品質機能展開表Ａと品質機能展開表Ｂが矛盾していないことを示している。品質機能展開表Ａを作成した人と品質機能展開表Ｂを作成した人の因果関係の判断結果が同じだったことを意味する。
【００４３】
ステップＳ４０６では、表統合モジュール１２０が、セル内に因果関係の値を設定する。つまり、品質機能展開表Ａ（又は品質機能展開表Ｂ）のセル内の内容を品質機能展開表Ｃの対応するセルに設定する。
ステップＳ４０８では、表統合モジュール１２０が、因果関係不一致処理モジュール１４０の選択した不一致処理を行う。前述した通り、統合処理を行わないこと、統合できない旨を表示すること、又は、いずれか一方の品質機能展開表内の対応する要素内の因果関係を示す値を設定すること、のうちいずれかである。
ステップＳ４１０では、表統合モジュール１２０が、各セルに対応する品質機能展開表のセルの内容を設定する。つまり、品質機能展開表Ａのマトリックス内の全てを品質機能展開表Ｃの対応するマトリックスに設定し、品質機能展開表Ｂのマトリックス内の全てを品質機能展開表Ｃの対応するマトリックスに設定する。
【００４４】
この後に、表示モジュール１５０が、品質機能展開表Ｃをディスプレイ等の表示装置に表示する。例えば、図５の品質機能展開表Ａと図６の品質機能展開表Ｂを受け付けた場合は、図７の品質機能展開表Ｃを表示する。中分類項目７２２は図６の第２軸６２０に対応し、中分類項目７２３は図５の第２軸５２０に対応し、中分類項目７３２は図６の第３軸６３０に対応し、中分類項目７３３は図５の第３軸５３０に対応し、中分類項目７４２は図６の第４軸６４０に対応し、中分類項目７４３は図５の第４軸５４０に対応している。第１軸第２軸関係マトリックス（保持部）７１５Ａは図５の第１軸第２軸関係マトリックス５１５に対応し、第１軸第２軸関係マトリックス（加熱部）７１５Ｂは図６の第１軸第２軸関係マトリックス６１５に対応し、第２軸第３軸関係マトリックス（保持部）７２５Ａは図５の第２軸第３軸関係マトリックス５２５に対応し、第２軸第３軸関係マトリックス（加熱部）７２５Ｂは図６の第２軸第３軸関係マトリックス６２５に対応し、第３軸第４軸関係マトリックス（保持部）７３５Ａは図５の第３軸第４軸関係マトリックス５３５に対応し、第３軸第４軸関係マトリックス（加熱部）７３５Ｂは図６の第３軸第４軸関係マトリックス６３５に対応している。
【００４５】
また、第１の実施の形態の変形例として、次のように表統合モジュール１２０が処理を行ってもよい。表統合モジュール１２０は、品質機能展開表Ａと品質機能展開表Ｂの名称が一致している軸において、その軸に属している項目内の最上位から順に抽出した階層の項目名称が一致しており、それ以降の階層の項目名称は一致していない場合に、一致している部分をその一致している階層の共通の項目名称とし、一致していない階層の項目名称を並列に並べた品質機能展開表Ｃとして、品質機能展開表Ａと品質機能展開表Ｂを統合する。ここで「その軸に属している項目内の最上位から順に抽出した階層の項目名称が一致しており、それ以降の階層の項目名称は一致していない場合」とは、項目が階層構造を有しており、各階層における項目名称において、上位の階層の項目名称は一致しているが、下位の階層の項目名称は一致していない場合をいい、上位の階層から順に下位の階層へ走査した場合に、一致していない階層の項目名称があれば、その階層以下の下位の階層は、「階層の項目名称は一致していない」として扱う。
【００４６】
図８を用いて具体的に説明する。図８は、第１の実施の形態による処理例を示す説明図である。
図８（ａ）の例は品質機能展開表８００ａを示しており、図８（ｂ）の例は品質機能展開表８００ｂを示しており、図８（ｃ）の例は品質機能展開表８００ｃを示しており、品質機能展開表８００ａと品質機能展開表８００ｂを統合したものが品質機能展開表８００ｃである。
表統合モジュール１２０は、すべての軸の名称が一致しているので合成処理が可能であると判断する。第１軸である品質軸は、３層（大分類、中分類、小分類）の階層構造を持っている。
品質機能展開表８００ａと品質機能展開表８００ｂの小分類ａとｂは、階層の最上位から大分類α、中分類Ａ、小分類とも全て一致しているので、３階層とも共通の項目名称として統合して、品質機能展開表８００ｃにおいては小分類ａとｂは１つである。
品質機能展開表８００ａの小分類ｃとｄ、表２の小分類ｋとｍは、階層の最上位から大分類α、中分類Ａが一致しているので、最上位からの２階層が共通の項目として統合される。そして、小分類ｃとｄとｋとｍは、並列して並べられる。
品質機能展開表８００ａと品質機能展開表８００ｂの小分類ｅとｆは、階層の最上位から走査した結果、大分類αのみが一致している（中分類は一致していない）ので、大分類だけ共通の項目として統合される。そして、中分類ＢとＥ、小分類ｅとｆは、並列して並べられる。
品質機能展開表８００ａと品質機能展開表８００ｂの小分類ｇとｈは、階層の最上位から走査すると大分類が一致していないので、統合せずに並列に並べられる。つまり、大分類βとγ、中分類Ｃ、小分類ｇとｈは、並列して並べられる。
品質機能展開表８００ａの小分類ｉとｊ、品質機能展開表８００ｂの小分類ｎとｏは、中分類が一致しているが、最上位から走査すると大分類が一致していないので、統合せずに並列に並べられる。つまり、大分類βとγ、中分類Ｄ、小分類ｇとｈは、並列して並べられる。
「発揮すべき性能」の軸は、１階層しかなく、最上位が第１階層なので、名称が一致している項目（性能１、性能２、性能３）が共通の項目として統合される。名称が一致していない項目（性能４、性能５）は並列して並べられる。
因果関係確認モジュール１３０によって因果関係に矛盾がない（対応する各セル内の値が一致している）と判断されれば、表統合モジュール１２０は、その因果関係をそのまま引き継ぐ。
小分類ａと性能３の交点は、品質機能展開表８００ａが○、品質機能展開表８００ｂが△となっており、食い違っている。このときには、表統合モジュール１２０は、どちらを採用するかユーザーに確認する画面を表示する。また、因果関係不一致処理モジュール１４０による選択処理によって、表統合モジュール１２０は、統合できない旨を表示して、処理を停止したり、どちらかの表の因果関係を常に優先するようにあらかじめ指定しておいてもよい。
なお、２つの品質機能展開表を対象として例示したが、３つ以上の品質機能展開表を対象として統合するようにしてもよい。例えば、２つの品質機能展開表を統合し、その統合した品質機能展開表と残りの品質機能展開表を統合させる処理を繰り返せばよい。
【００４７】
図９は、第２の実施の形態の構成例についての概念的なモジュール構成図を示している。第２の実施の形態は、前述の第１の実施の形態によって統合の対象となる品質機能展開表を作成、表示するものである。
第２の実施の形態である情報処理装置９００は、図９の例に示すように、軸名称設定モジュール９１０、部材／システム選択モジュール９１５、軸対応項目作成モジュール９２０、軸間整合モジュール９２５、表示モジュール９３０、軸関連情報記憶モジュール９５０を有している。
情報処理装置９００は、技術・商品の開発を効率化するとともに成果の品質を高めるための設計・開発支援に用いられるものである。
【００４８】
部材／システム選択モジュール９１５は、軸名称設定モジュール９１０と接続されている。部材／システム選択モジュール９１５は、（１）部品、部材の製造工程とそれらの部品を組み上げたときの製品の品質の関係を明確化するための品質機能展開表（以下、「部材品質機能展開表」ともいう）、（２）技術、商品の開発における設計条件と技術又は製品の品質の関係を明確化するための品質機能展開表（以下、「システム品質機能展開表」ともいう）、のいずれを作成するかを選択するものである。いずれにするかによって、後述する軸の名称、項目が異なってくる。この選択は、操作者の選択操作によって行ってもよい。また、操作者、操作者の所属部門、職種等に応じて、いずれかを選択するようにしてもよい。例えば、操作者を本実施の形態において一意に識別できる操作者識別子と「部材品質機能展開表」又は「システム品質機能展開表」のいずれかを対応付けたテーブルを軸関連情報記憶モジュール９５０に予め用意し、そのテーブルを用いて操作者識別子から選択するようにしてもよい。また、操作者と所属部門又は職種等を対応付けたテーブルと、所属部門又は職種等と「部材品質機能展開表」又は「システム品質機能展開表」のいずれかを対応付けたテーブルを軸関連情報記憶モジュール９５０に予め用意し、その２つのテーブルを用いて操作者識別子から選択するようにしてもよい。
【００４９】
軸名称設定モジュール９１０は、部材／システム選択モジュール９１５、軸対応項目作成モジュール９２０、軸関連情報記憶モジュール９５０と接続されている。軸名称設定モジュール９１０は、第１軸から第４軸の名称を設定する。なお、設定は、作成も含む概念として用いる。軸名称設定モジュール９１０は、部材／システム選択モジュール９１５による選択結果に基づいて、第１軸から第４軸の名称を設定するようにしてもよい。つまり、部材／システム選択モジュール９１５によって「部材品質機能展開表」が選択されている場合は、第１軸の名称として「製品の品質」、第２軸の名称として「発揮すべき性能」、第３軸の名称として「構造と物性」、第４軸の名称として「作成条件」を作成してもよい。そして、部材／システム選択モジュール９１５によって「システム品質機能展開表」が選択されている場合は、第１軸の名称として「製品の品質」、第２軸の名称として「メカニズム」、第３軸の名称として「物理的特性」、第４軸の名称として「設計条件」を設定してもよい。
【００５０】
軸対応項目作成モジュール９２０は、軸名称設定モジュール９１０、軸間整合モジュール９２５、表示モジュール９３０、軸関連情報記憶モジュール９５０と接続されている。軸対応項目作成モジュール９２０は、軸名称設定モジュール９１０によって名称が設定された軸に属する項目を作成する。そして、軸対応項目作成モジュール９２０は、（１）第１軸に属する項目として、製品の品質を示す項目、（２）第２軸に属する項目として、各部品、各部材が製品の品質を満たすために発揮すべき性能の度合いを示す項目、（３）第３軸に属する項目として、各部品、各部材の構造と物性についての項目、（４）第４軸に属する項目として、各部品、各部材の作成条件を定義する項目、を操作者が選択することによって、各軸に属する項目を作成する。
そして、軸対応項目作成モジュール９２０は、（１）第１軸に属する項目として、製品の品質を示す項目、（２）第２軸に属する項目として、各部品、各部材が製品の品質を満たすために発揮すべき性能の度合いを示す項目、（３）第３軸に属する項目として、各部品、各部材の構造と物性についての項目、（４）第４軸に属する項目として、各部品、各部材の作成条件を定義する項目、を操作者が選択することによって、各軸に属する項目を作成するようにしてもよい。特に、部材／システム選択モジュール９１５によって「部材品質機能展開表」が選択された場合は、このように作成する。
また、軸対応項目作成モジュール９２０は、（１）第１軸に属する項目として、製品の品質を示す項目、（２）第２軸に属する項目として、物理的な特性項目によって挙動が決定され、製品の品質を支配する物理的なメカニズムの項目、（３）第３軸に属する項目として、設計条件によって決まるシステムの物理的な特性を示す項目、（４）第４軸に属する項目として、設計条件を示す項目、を操作者が選択することによって、各軸に属する項目を作成するようにしてもよい。特に、部材／システム選択モジュール９１５によって「システム品質機能展開表」が選択された場合は、このように作成する。さらに、各軸の項目として、各部品、部材の他に「共通」（項目の大分類）を含めるようにしてもよい。
また、軸対応項目作成モジュール９２０は、軸間整合モジュール９２５によって作成した各軸間の項目の整合性を判断させてもよい。
また、軸対応項目作成モジュール９２０は、４軸のそれぞれの定義に合わない項目は、まとめて各軸の項目と並列になるように作成してもよい。例えば、各部材に共通の項目、システムのパラメータ、外乱等がある。
【００５１】
なお、軸に属する項目は、１階層以上の階層構造を有していてもよい。例えば、図１１に示す軸項目テーブル１１００のようであってもよい。図１１は、軸項目テーブル１１００のデータ構造例を示す説明図である。軸項目テーブル１１００は、軸名称欄１１１０、項目名欄１１２０を有している。軸名称欄１１１０は、軸の名称を記憶している。項目名欄１１２０は、その軸に属する項目名を記憶している。そして、項目は階層構造を有しており、例えば、大分類、中分類、小分類の３階層を有している。項目名欄１１２０は、大分類欄１１２２、中分類欄１１２４、小分類欄１１２６を有している。大分類欄１１２２は、第１階層としての大分類を記憶している。中分類欄１１２４は、第２階層としての中分類を記憶している。小分類欄１１２６は、第３階層としての小分類を記憶している。なお、ここでの階層は、小分類だけの１階層、大分類と小分類の２階層、大分類と中分類と小分類の３階層がある。
【００５２】
軸間整合モジュール９２５は、軸対応項目作成モジュール９２０と接続されている。軸間整合モジュール９２５は、少なくとも第１軸と第２軸、第２軸と第３軸、第３軸と第４軸の項目の間に、その項目の予め定められた階層における項目が整合しているか否かを判断し、整合していないと判断した場合は、項目を修正するようにしてもよい。この項目の修正については、自動的に修正する、又は操作者の操作に応じて修正させる（例えば、修正したパターンを例示して操作者に選択させる、操作者に警告を発して修正を促す）ことが考えられる。
表示モジュール９３０は、軸対応項目作成モジュール９２０と接続されている。表示モジュール９３０は、軸名称設定モジュール９１０によって設定された軸の名称と軸対応項目作成モジュール９２０によって作成された項目に基づいて、製品を開発するために用いる品質機能展開表として、中心から上下左右に分けた領域内に、第１軸から第４軸の各々の名称を配置し、該中心から上下左右に伸びる方向に第１軸から第４軸の各々の軸に属する項目を配置し、少なくとも第１軸と第２軸、第２軸と第３軸、第３軸と第４軸の間に項目間の因果関係を記入可能な配列を配置した品質機能展開表を表示する。例えば、後述する図１５に示す「部材品質機能展開表」、図１６に示す「システム品質機能展開表」のようであってもよい。
軸関連情報記憶モジュール９５０は、軸名称設定モジュール９１０、軸対応項目作成モジュール９２０と接続されている。軸関連情報記憶モジュール９５０は、軸に関連する情報を記憶している。例えば、軸項目テーブル１１００を記憶している。
【００５３】
図１０は、第２の実施の形態による処理例を示すフローチャートである。
ステップＳ１００２では、軸名称設定モジュール９１０が、設定する４軸表の書誌情報を受け付ける。書誌情報としては、例えば、操作者名称、操作者識別子、作成日時、製品名等がある。
ステップＳ１００４では、軸名称設定モジュール９１０が、変数：Ｎ＝１とする。変数：Ｎは、軸を指し示す値である。
ステップＳ１００６では、軸名称設定モジュール９１０が、軸名称のリストを表示する。図１２は、軸の名称を表示、選択する処理例を示す説明図である。情報処理装置９００に備え付けられている液晶ディスプレイ等上の設定画面１２００に、第Ｎ軸設定欄１２１０、軸名称設定欄１２２０、軸項目設定欄１２５０を表示する。第Ｎ軸設定欄１２１０内には、ステップＳ１００４又はステップＳ１０２４で設定された変数：Ｎの値に応じて、現在の対象軸は、第Ｎ軸であることを表示する。軸名称設定欄１２２０内が操作者の操作によって選択されると、軸名称リスト表示領域１２３０を含む軸名称選択領域１２２５を表示する。軸名称リスト表示領域１２３０内の軸名称を、カーソル１２２９を用いて選択させる。軸名称リスト表示領域１２３０内の軸名称は、軸項目テーブル１１００の軸名称欄１１１０から抽出すればよい。
【００５４】
ステップＳ１００８では、軸名称設定モジュール９１０が、第Ｎ軸の軸名称を受け付ける。
ステップＳ１０１０では、軸対応項目作成モジュール９２０が、選択した軸名称に属する項目名をリスト表示する。図１３は、軸の項目を表示、選択する処理例を示す説明図である。設定画面１２００に、第Ｎ軸設定欄１２１０、軸名称設定欄１２２０、軸項目設定欄１２５０を表示する。軸項目設定欄１２５０内が操作者の操作によって選択されると、項目選択テーブル１３１０、選択結果表示テーブル１３２０を含む項目選択領域１２５５を表示する。項目選択テーブル１３１０内の項目を、カーソル１２２９を用いて選択させると、選択結果表示テーブル１３２０内にその項目を移動して表示する。項目選択テーブル１３１０内の項目名称は、軸項目テーブル１１００の項目名欄１１２０から抽出すればよい。
【００５５】
ステップＳ１０１２では、軸対応項目作成モジュール９２０が、項目名の１つ又は複数を受け付ける。
ステップＳ１０１４では、軸対応項目作成モジュール９２０が、受け付けた項目を選択リストに追加する。
ステップＳ１０１６では、軸対応項目作成モジュール９２０が、必要ならば選択リストを並べ替える。例えば、既に項目が選択された軸における項目順と合わせるように、項目を並べ替えてもよい。
ステップＳ１０１８では、軸対応項目作成モジュール９２０が、項目名選択が完了したか否かを判断し、完了した場合はステップＳ１０２０へ進み、それ以外の場合はステップＳ１０１２へ戻る。例えば、図１３に例示の項目選択領域１２５５内のＯＫボタン１３９０が操作者の操作によって選択された場合が「項目名選択が完了」である。
【００５６】
ステップＳ１０２０では、軸対応項目作成モジュール９２０が、軸関連情報記憶モジュール９５０に選択リストの項目名を第Ｎ軸の項目名として格納する。図１４は、軸の名称と項目を選択した結果の表示例を示す説明図である。第Ｎ軸設定欄１２１０に現在の対象となっている軸を表示し、軸名称設定欄１２２０にその軸の名称を表示し、軸項目設定欄１２５０内に軸・項目設定結果テーブル１４１０を表示する。第Ｎ軸設定欄１２１０、軸名称設定欄１２２０、軸・項目設定結果テーブル１４１０の組み合わせは、軸関連情報記憶モジュール９５０に記憶させる。
ステップＳ１０２２では、軸対応項目作成モジュール９２０が、変数：Ｎ＝４であるか否かを判断し、変数：Ｎ＝４である場合はステップＳ１０２６へ進み、それ以外の場合はステップＳ１０２４へ進む。
ステップＳ１０２４では、軸名称設定モジュール９１０が、変数：Ｎ＝Ｎ＋１（変数：Ｎをインクリメント）とする。
ここでは、第１軸から順に第４軸を受け付ける構成を示しているが、操作者が軸の名称と項目を与える軸の番号を任意に選択できる構成としてもよい。
【００５７】
ステップＳ１０２６では、表示モジュール９３０が、第１軸を上向きに、第２軸を右向きに、第３軸を下向きに、第４軸を左向きに配置して、４軸表を描画する。
例えば、図１５に示す「部材品質機能展開表」、図１６に示す「システム品質機能展開表」のように表示する。
図１５の例では、４つの軸（品質軸（第１軸）１５００、発揮すべき性能軸（第２軸）１５２０、構造と物性軸（第３軸）１５４０、作成条件軸（第４軸）１５６０）の一端（三角形領域である軸名称表示領域（品質）１５０２、軸名称表示領域（発揮すべき性能）１５２２、軸名称表示領域（構造と物性）１５４２、軸名称表示領域（作成条件）１５６２）にそれぞれの軸の名称を表示する。そして、その一端から品質軸（第１軸）１５００は上方向に項目名表示領域１５０４を伸ばした軸に、発揮すべき性能軸（第２軸）１５２０は右方向に項目名表示領域１５２４を伸ばした軸に、構造と物性軸（第３軸）１５４０は下方向に項目名表示領域１５４４を伸ばした軸に、作成条件軸（第４軸）１５６０は左方向に項目名表示領域１５６４を伸ばした軸に、それぞれの軸に属する項目を表示する。次に、少なくても項目名表示領域１５０４と項目名表示領域１５２４によって囲まれている相関記入領域１５１０、項目名表示領域１５２４と項目名表示領域１５４４によって囲まれている相関記入領域１５３０、項目名表示領域１５４４と項目名表示領域１５６４によって囲まれている相関記入領域１５５０の３つの領域に各項目が交差する位置に、その項目間の因果関係を記入し得るマトリックスを生成する。例えば、項目名表示領域１５０４の項目「安全性・耐久性」の「やけどしない」と項目名表示領域１５２４の「保持部」の「基本性能」の「熱くなりにくい」には、強い相関があることを示す◎が記入されている。この相関の表し方については、数値で表してもよいし、色で表してもよいし、これらの組み合わせで表示してもよい。たとえば記号を正の相関の場合に赤字、負の相関の場合に青字とすれば、相関の強弱に加えて正負も表すことができる。なお、項目名表示領域１５０４と項目名表示領域１５６４によって囲まれている相関記入領域１５７０に、その項目間の因果関係を記入し得るマトリックスを生成してもよい。この「部材品質機能展開表」は、「作成条件」が「品質」に及ぼす影響を、「作成条件」と「構造と物性」、「構造と物性」と「発揮すべき性能」、「発揮すべき性能」と「品質」を介して、検証することができるようになる。つまり、結果としての「品質」（現象）へのメカニズムを「作成条件」から「構造と物性」、「発揮すべき性能」を通って解明することを、本実施の形態以外の情報処理装置よりも容易にするものである。例えば、品質向上のための施策が他の品質については悪化となってしまうこととその理由を、事前に把握可能になる。そして、開発上の技術的な課題が発生したときに、原因や施策を検討するための解析技術を抽出すること、そしてその解析技術を未然に獲得することを可能とする。
例えば、第２軸に関するマトリックスを記載するためには、各部品・部材の機能発現のメカニズムがわかっている必要がある。この項目を記載できない箇所を調べることで、必要な解析技術を抽出できる。
各軸は一般に異なる部門が担当する項目なので、部門間の協業を促進できる。
【００５８】
図１６に示す例は、図１５と同等のものであるが、「システム品質機能展開表」であるために、前述したように、各部品、部材の他に共通の項目がある。この「システム品質機能展開表」は、「設計条件」が「品質」に及ぼす影響を、「設計条件」と「物理的特性」、「物理的特性」と「メカニズム」、「メカニズム」と「品質」を介して、検証することができるようになる。つまり、結果としての「品質」（現象）へのメカニズムを「設計条件」から「物理的特性」、「メカニズム」を通って解明することを、本実施の形態以外の情報処理装置よりも容易にするものである。例えば、品質向上のための施策が他の品質については悪化となってしまうことを、事前に把握可能になる。そして、開発上の技術的な課題が発生したときに、原因や施策を検討するための解析技術を抽出すること、そしてその解析技術を未然に獲得することを可能とする。
例えば、第２軸に関するマトリックスを記載するためには、設計条件で決まる特性が品質に影響する物理メカニズムがわかっている必要がある。この項目を記載できない箇所を調べることで、必要な解析技術を抽出できる。
【００５９】
なお、操作者の操作によってマトリックス内に、項目間の相関関係の値が記入された後に、表示モジュール９３０は、マトリックス内で埋められていない箇所を示す項目について、その旨を表示するようにしてもよい。例えば、その箇所を他の箇所（既に因果関係が記載されている箇所）とは異なる色で表す等である。
また、第３軸に関するマトリックス内で値を記載できていない項目を抽出し、例えば、性能との関係における「構造と物性」の項目に示されているものの計測技術が不足している旨を表示するようにしてもよい。
【００６０】
図１７は、第２の実施の形態による他の処理例を示すフローチャートである。前述した図１０の例に示すフローチャートに対して、ステップＳ１７１０、ステップＳ１７１６、ステップＳ１７１８を付加したものである。したがって、そのステップの処理について、詳細に説明する。他のステップの処理は、図１０の例に示すフローチャート内の処理と同等である。
【００６１】
ステップＳ１７０２では、軸名称設定モジュール９１０が、設定する４軸表の書誌情報を受け付ける。
ステップＳ１７０４では、軸名称設定モジュール９１０が、変数：Ｎ＝１とする。
ステップＳ１７０６では、軸名称設定モジュール９１０が、軸名称のリストを表示する。
ステップＳ１７０８では、軸名称設定モジュール９１０が、第Ｎ軸の軸名称を受け付ける。
ステップＳ１７１０では、既に項目が設定された軸と整合する項目を抽出する。この処理は、軸対応項目作成モジュール９２０が軸間整合モジュール９２５に行わせる。例えば、既に設定された軸の項目の大分類の階層が一致する項目を抽出する。ここで「既に設定された軸」としては、対象としている軸とマトリックスを構成する軸としてもよい。例えば、第２軸の場合は第１軸、第３軸の場合は第２軸、第４軸の場合は第３軸となる。
【００６２】
ステップＳ１７１２では、軸対応項目作成モジュール９２０が、選択した軸名称に属する項目名をリスト表示する。ステップＳ１７１０で抽出した項目だけを表示するようにしてもよい。また、ステップＳ１７１０で抽出した項目以外の項目を含めるようにしてもよい。その場合は、ステップＳ１７１０で抽出した項目を他の項目とは異なる形態（形状、模様、色彩、又はこれらの組み合わせ）で表示するようにしてもよい。
ステップＳ１７１４では、軸対応項目作成モジュール９２０が、項目名の１つ又は複数を受け付ける。
【００６３】
ステップＳ１７１６では、軸間整合モジュール９２５が、既に項目が設定された軸と項目は整合するか否かを判断し、整合する場合はステップＳ１７２０へ進み、それ以外の場合はステップＳ１７１８へ進む。整合するとは、項目が階層構造を有しており、その階層における予め定められた階層の名称が一致することをいう。ここで「既に設定された軸」としては、前述の通り、対象としている軸とマトリックスを構成する軸としてもよい。整合していない項目がある場合は、ステップＳ１７１８へ進むことになる。
ステップＳ１７１８では、軸対応項目作成モジュール９２０が、対象軸又は他の軸の項目名を修正する。整合していない項目として、対象軸における項目又は既に設定された軸における項目がある。その項目を、操作者の操作に基づいて修正する機会を与える。なお、必ずしも修正されなくてもよい。
【００６４】
ステップＳ１７２０では、軸対応項目作成モジュール９２０が、受け付けた項目を選択リストに追加する。
ステップＳ１７２２では、軸対応項目作成モジュール９２０が、必要ならば選択リストを並べ替える。
ステップＳ１７２４では、軸対応項目作成モジュール９２０が、項目名選択が完了したか否かを判断し、完了した場合はステップＳ１７２６へ進み、それ以外の場合はステップＳ１７１４へ戻る。
ステップＳ１７２６では、軸対応項目作成モジュール９２０が、軸関連情報記憶モジュール９５０に選択リストの項目名を第Ｎ軸の項目名として格納する。
ステップＳ１７２８では、軸対応項目作成モジュール９２０が、変数：Ｎ＝４であるか否かを判断し、変数：Ｎ＝４である場合はステップＳ１７３２へ進み、それ以外の場合はステップＳ１７３０へ進む。
ステップＳ１７３０では、軸名称設定モジュール９１０が、変数：Ｎ＝Ｎ＋１とする。
ステップＳ１７３２では、表示モジュール９３０が、第１軸を上向きに、第２軸を右向きに、第３軸を下向きに、第４軸を左向きに配置して、４軸表を描画する。
【００６５】
図１８を参照して、本実施の形態の情報処理装置のハードウェア構成例について説明する。図１８に示す構成は、例えばパーソナルコンピュータ（ＰＣ）などによって構成されるものであり、スキャナ等のデータ読み取り部１８１７と、プリンタなどのデータ出力部１８１８を備えたハードウェア構成例を示している。
【００６６】
ＣＰＵ（Ｃｅｎｔｒａｌ  Ｐｒｏｃｅｓｓｉｎｇ  Ｕｎｉｔ）１８０１は、前述の実施の形態において説明した各種のモジュール、すなわち、表Ａ受付モジュール１１０Ａ、表Ｂ受付モジュール１１０Ｂ、表統合モジュール１２０、因果関係確認モジュール１３０、因果関係不一致処理モジュール１４０、表示モジュール１５０、軸名称設定モジュール９１０、部材／システム選択モジュール９１５、軸対応項目作成モジュール９２０、軸間整合モジュール９２５、表示モジュール９３０等の各モジュールの実行シーケンスを記述したコンピュータ・プログラムにしたがった処理を実行する制御部である。
【００６７】
ＲＯＭ（Ｒｅａｄ  Ｏｎｌｙ  Ｍｅｍｏｒｙ）１８０２は、ＣＰＵ１８０１が使用するプログラムや演算パラメータ等を格納する。ＲＡＭ（Ｒａｎｄｏｍ  Ａｃｃｅｓｓ  Ｍｅｍｏｒｙ）１８０３は、ＣＰＵ１８０１の実行において使用するプログラムや、その実行において適宜変化するパラメータ等を格納する。これらはＣＰＵバスなどから構成されるホストバス１８０４により相互に接続されている。
【００６８】
ホストバス１８０４は、ブリッジ１８０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１８０６に接続されている。
【００６９】
キーボード１８０８、マウス等のポインティングデバイス１８０９は、操作者により操作される入力デバイスである。ディスプレイ１８１０は、液晶表示装置又はＣＲＴ（Ｃａｔｈｏｄｅ  Ｒａｙ  Ｔｕｂｅ）などがあり、各種情報をテキストやイメージ情報として表示する。
【００７０】
ＨＤＤ（Ｈａｒｄ  Ｄｉｓｋ  Ｄｒｉｖｅ）１８１１は、ハードディスクを内蔵し、ハードディスクを駆動し、ＣＰＵ１８０１によって実行するプログラムや情報を記録又は再生させる。ハードディスクには、軸項目テーブル１１００、設定された軸名称、項目名などが格納される。さらに、その他の各種のデータ処理プログラム等、各種コンピュータ・プログラムが格納される。
【００７１】
ドライブ１８１２は、装着されている磁気ディスク、光ディスク、光磁気ディスク、又は半導体メモリ等のリムーバブル記録媒体１８１３に記録されているデータ又はプログラムを読み出して、そのデータ又はプログラムを、インタフェース１８０７、外部バス１８０６、ブリッジ１８０５、及びホストバス１８０４を介して接続されているＲＡＭ１８０３に供給する。リムーバブル記録媒体１８１３も、ハードディスクと同様のデータ記録領域として利用可能である。
【００７２】
接続ポート１８１４は、外部接続機器１８１５を接続するポートであり、ＵＳＢ、ＩＥＥＥ１３９４等の接続部を持つ。接続ポート１８１４は、インタフェース１８０７、及び外部バス１８０６、ブリッジ１８０５、ホストバス１８０４等を介してＣＰＵ１８０１等に接続されている。通信部１８１６は、通信回線に接続され、外部とのデータ通信処理を実行する。データ読み取り部１８１７は、例えばスキャナであり、ドキュメントの読み取り処理を実行する。データ出力部１８１８は、例えばプリンタであり、ドキュメントデータの出力処理を実行する。
【００７３】
なお、図１８に示す情報処理装置のハードウェア構成は、１つの構成例を示すものであり、本実施の形態は、図１８に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１８に示すシステムが複数互いに通信回線によって接続されていて互いに協調動作するようにしてもよい。
【００７４】
また、前述の実施の形態の説明において、予め定められた値との比較において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００７５】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【００７６】
図９以降を用いて説明した第２の実施の形態は、以下の発明のように把握できる。そして、第１の実施の形態は、これらの発明と組み合わせてもよい。
【００７７】
（Ａ１）  第１軸から第４軸の名称を設定する軸名称設定手段と、
前記軸名称設定手段によって名称が設定された軸に属する項目を作成する項目作成手段と、
前記軸名称設定手段によって設定された軸の名称と前記項目作成手段によって作成された項目に基づいて、製品を開発するために用いる品質機能展開表として、中心から上下左右に分けた領域内に、第１軸から第４軸の各々の名称を配置し、該中心から上下左右に伸びる方向に第１軸から第４軸の各々の軸に属する項目を配置し、少なくとも第１軸と第２軸、第２軸と第３軸、第３軸と第４軸の間に項目間の因果関係を記入可能な配列を配置した品質機能展開表を表示する表示手段
を具備し、
前記項目作成手段は、
前記第１軸に属する項目として、製品の品質を示す項目、
前記第２軸に属する項目として、各部品、各部材が製品の品質を満たすために発揮すべき性能の度合いを示す項目、
前記第３軸に属する項目として、各部品、各部材の構造と物性についての項目、
前記第４軸に属する項目として、各部品、各部材の作成条件を定義する項目、
を操作者が選択することによって、各軸に属する項目を作成する
ことを特徴とする情報処理装置。
（Ａ２）  第１軸から第４軸の名称を設定する軸名称設定手段と、
前記軸名称設定手段によって名称が設定された軸に属する項目を作成する項目作成手段と、
前記軸名称設定手段によって設定された軸の名称と前記項目作成手段によって作成された項目に基づいて、製品を開発するために用いる品質機能展開表として、中心から上下左右に分けた領域内に、第１軸から第４軸の各々の名称を配置し、該中心から上下左右に伸びる方向に第１軸から第４軸の各々の軸に属する項目を配置し、少なくとも第１軸と第２軸、第２軸と第３軸、第３軸と第４軸の間に項目間の因果関係を記入可能な配列を配置した品質機能展開表を表示する表示手段
を具備し、
前記項目作成手段は、
前記第１軸に属する項目として、製品の品質を示す項目、
前記第２軸に属する項目として、物理的な特性項目によって挙動が決定され、製品の品質を支配する物理的なメカニズムの項目、
前記第３軸に属する項目として、設計条件によって決まるシステムの物理的な特性を示す項目、
前記第４軸に属する項目として、設計条件を示す項目、
を操作者が選択することによって、各軸に属する項目を作成する
ことを特徴とする情報処理装置。
（Ａ３）  前記軸名称設定手段は、軸名称のリストを操作者に対して表示し、当該軸名称のリストから操作者によって選択された名称を軸の名称とする
ことを特徴とする（Ａ１）又は（Ａ２）に記載の情報処理装置。
（Ａ４）  前記項目作成手段は、項目のリストを操作者に対して表示し、当該項目のリストから操作者によって選択された項目を軸に属する項目とする
ことを特徴とする（Ａ１）乃至（Ａ３）に記載の情報処理装置。
（Ａ５）  前記軸に属する項目は、階層構造を有しており、
前記項目作成手段は、少なくとも第１軸と第２軸、第２軸と第３軸、第３軸と第４軸の項目の間に、該項目の予め定められた階層における項目が整合しているか否かを判断し、整合していないと判断した場合は、項目を修正する
ことを特徴とする（Ａ１）乃至（Ａ４）に記載の情報処理装置。
（Ａ６）  コンピュータを、
第１軸から第４軸の名称を設定する軸名称設定手段と、
前記軸名称設定手段によって名称が設定された軸に属する項目を作成する項目作成手段と、
前記軸名称設定手段によって設定された軸の名称と前記項目作成手段によって作成された項目に基づいて、製品を開発するために用いる品質機能展開表として、中心から上下左右に分けた領域内に、第１軸から第４軸の各々の名称を配置し、該中心から上下左右に伸びる方向に第１軸から第４軸の各々の軸に属する項目を配置し、少なくとも第１軸と第２軸、第２軸と第３軸、第３軸と第４軸の間に項目間の因果関係を記入可能な配列を配置した品質機能展開表を表示する表示手段
として機能させ、
前記項目作成手段は、
前記第１軸に属する項目として、製品の品質を示す項目、
前記第２軸に属する項目として、各部品、各部材が製品の品質を満たすために発揮すべき性能の度合いを示す項目、
前記第３軸に属する項目として、各部品、各部材の構造と物性についての項目、
前記第４軸に属する項目として、各部品、各部材の作成条件を定義する項目、
を操作者が選択することによって、各軸に属する項目を作成する
ことを特徴とする情報処理プログラム。
（Ａ７）  コンピュータを、
第１軸から第４軸の名称を設定する軸名称設定手段と、
前記軸名称設定手段によって名称が設定された軸に属する項目を作成する項目作成手段と、
前記軸名称設定手段によって設定された軸の名称と前記項目作成手段によって作成された項目に基づいて、製品を開発するために用いる品質機能展開表として、中心から上下左右に分けた領域内に、第１軸から第４軸の各々の名称を配置し、該中心から上下左右に伸びる方向に第１軸から第４軸の各々の軸に属する項目を配置し、少なくとも第１軸と第２軸、第２軸と第３軸、第３軸と第４軸の間に項目間の因果関係を記入可能な配列を配置した品質機能展開表を表示する表示手段
として機能させ、
前記項目作成手段は、
前記第１軸に属する項目として、製品の品質を示す項目、
前記第２軸に属する項目として、物理的な特性項目によって挙動が決定され、製品の品質を支配する物理的なメカニズムの項目、
前記第３軸に属する項目として、設計条件によって決まるシステムの物理的な特性を示す項目、
前記第４軸に属する項目として、設計条件を示す項目、
を操作者が選択することによって、各軸に属する項目を作成する
ことを特徴とする情報処理プログラム。
【符号の説明】
【００７８】
１００…情報処理装置
１００Ａ…情報処理装置
１００Ｂ…情報処理装置
１１０Ａ…表Ａ受付モジュール
１１０Ｂ…表Ｂ受付モジュール
１２０…表統合モジュール
１３０…因果関係確認モジュール
１４０…因果関係不一致処理モジュール
１５０…表示モジュール
２９０…ＤＢ装置
２９９…通信回線
９００…情報処理装置
９１０…軸名称設定モジュール
９１５…部材／システム選択モジュール
９２０…軸対応項目作成モジュール
９２５…軸間整合モジュール
９３０…表示モジュール
９５０…軸関連情報記憶モジュール
【図１】
2014112340.tif 000003
【図２】
2014112340.tif 000004
【図３】
2014112340.tif 000005
【図４】
2014112340.tif 000006
【図５】
2014112340.tif 000007
【図６】
2014112340.tif 000008
【図７】
2014112340.tif 000009
【図８】
2014112340.tif 000010
【図９】
2014112340.tif 000011
【図１０】
2014112340.tif 000012
【図１１】
2014112340.tif 000013
【図１２】
2014112340.tif 000014
【図１３】
2014112340.tif 000015
【図１４】
2014112340.tif 000016
【図１５】
2014112340.tif 000017
【図１６】
2014112340.tif 000018
【図１７】
2014112340.tif 000019
【図１８】
2014112340.tif 000020